(57)【要約】【課題】被介護者が掴まることができ、ベッドから立ち上がりやすい介護用ベッドの側柵を提供する。【解決手段】支持フレーム部１２が、介護用ベッド１の側面の足元側端部に、介護用ベッド１の上面より高い位置まで上方に伸びるよう設けられている。サイドフレーム部１３が、支持フレーム部１２の上端部に、介護用ベッド１の上面との間に被介護者の足を通過可能な間隔をあけて、介護用ベッド１の長さ方向に沿って介護用ベッド１の頭部側方向に中央部まで伸びるよう設けられている。下部フレーム部１１が、支持フレーム部１２の下端部に、介護用ベッド１の長さ方向に沿って介護用ベッド１の頭部側方向に中央部まで伸びるよう設けられている。足先引掛部１４が、下部フレーム部１１の先端に、ベッド１の側面に対して垂直方向外側に突出するよう設けられている。【選択図】図１
2008289744.tif 000002
【特許請求の範囲】
【請求項１】
介護用ベッドの側柵であって、
支持フレーム部とサイドフレーム部とを有し、
前記支持フレーム部は前記ベッドの足元側に、前記ベッドの上面より高い位置まで上方に伸びるよう設けられ、
前記サイドフレーム部は前記支持フレーム部に、前記ベッドの上面との間に被介護者の足を通過可能な間隔をあけて、前記ベッドの長さ方向に沿って前記ベッドの頭部側方向に伸びるよう設けられていることを、
特徴とする介護用ベッドの側柵。
【請求項２】
下部フレーム部と足先引掛部とを有し、
前記下部フレーム部は前記支持フレーム部の下部に、前記ベッドの長さ方向に沿って前記ベッドの頭部側方向に伸びるよう設けられ、
前記足先引掛部は前記サイドフレーム部の頭部側方向先端の下方付近の前記下部フレーム部の位置に、前記ベッドの側面に対して垂直方向外側に突出するよう設けられていることを、
特徴とする請求項１記載の介護用ベッドの側柵。
【発明の詳細な説明】
【技術分野】
【０００１】
本発明は、介護用ベッドの側柵に関する。
【背景技術】
【０００２】
従来の介護用ベッドとして、被介護者がベッドから立ち上がるときに掴まることができるよう、ベッドの中央部から足元付近にかけて、ベッドの側面にサイドフレームを取り付けたものがある（例えば、特許文献１参照）。
【０００３】
【特許文献１】特開２００３−２６５５４６号公報
【発明の開示】
【発明が解決しようとする課題】
【０００４】
しかしながら、特許文献１に記載のような従来の介護用ベッドでは、被介護者がベッドに起きあがって足を降ろすとき、サイドフレームに引っ掛かるため、立ち上がりにくいという課題があった。なお、サイドフレームをはずすと、被介護者が立ち上がるとき、どこにも掴まることができず不安定になるため、掴まるものは必要である。
【０００５】
本発明は、このような課題に着目してなされたもので、被介護者が掴まることができ、ベッドから立ち上がりやすい介護用ベッドの側柵を提供することを目的としている。
【課題を解決するための手段】
【０００６】
上記目的を達成するために、本発明に係る介護用ベッドの側柵は、介護用ベッドの側柵であって、支持フレーム部とサイドフレーム部とを有し、前記支持フレーム部は前記ベッドの足元側に、前記ベッドの上面より高い位置まで上方に伸びるよう設けられ、前記サイドフレーム部は前記支持フレーム部に、前記ベッドの上面との間に被介護者の足を通過可能な間隔をあけて、前記ベッドの長さ方向に沿って前記ベッドの頭部側方向に伸びるよう設けられていることを、特徴とする。
【０００７】
本発明に係る介護用ベッドの側柵では、ベッドの上面より高い位置まで上方に伸びるよう設けられた支持フレーム部に、ベッドの足元側からベッドの頭部側方向に伸びるようサイドフレーム部が設けられているため、被介護者が立ち上がるとき、サイドフレーム部に掴まることができる。また、被介護者は、サイドフレーム部とベッドの上面との間を通過させるようにして、足を降ろすことができる。このとき、支持フレーム部がベッドの足元側に設けられているため、足が支持フレーム部に引っ掛かることもない。このように、支持フレーム部やサイドフレーム部に足が引っ掛からないため、ベッドから容易に足を降ろすことができ、立ち上がりやすい。
【０００８】
本発明に係る介護用ベッドの側柵で、支持フレーム部はベッドの側面に着脱可能に取り付けられていてもよい。本発明に係る介護用ベッドの側柵は、ベッドの左右いずれかの側に取り付けられていてもよく、ベッドの左右両側に取り付けられていてもよい。
【０００９】
本発明に係る介護用ベッドの側柵は、下部フレーム部と足先引掛部とを有し、前記下部フレーム部は前記支持フレーム部の下部に、前記ベッドの長さ方向に沿って前記ベッドの頭部側方向に伸びるよう設けられ、前記足先引掛部は前記サイドフレーム部の頭部側方向先端の下方付近の前記下部フレーム部の位置に、前記ベッドの側面に対して垂直方向外側に突出するよう設けられていることが好ましい。この場合、ベッドから足を降ろした後、足先引掛部に足を引っ掛けて、腹筋や手を使って上体を起こすことができる。このように、足先引掛部を設けることにより、上体を起こしやすくすることができる。
【発明の効果】
【００１０】
本発明によれば、被介護者が掴まることができ、ベッドから立ち上がりやすい介護用ベッドの側柵を提供することができる。
【発明を実施するための最良の形態】
【００１１】
以下、図面に基づき本発明の実施の形態について説明する。
図１および図２は、本発明の実施の形態の介護用ベッドの側柵を示している。
図１に示すように、側柵１０は、下部フレーム部１１と支持フレーム部１２とサイドフレーム部１３と足先引掛部１４とを有している。
【００１２】
なお、図２に示すように、介護用ベッド１は、底部フレーム２の上にベッドマット３を敷き、ベッドマット３の上に被介護者が横たわるようになっている。介護用ベッド１は、頭部側にヘッドフレーム４が取り付けられ、底部フレーム２に４つの支持脚５が設けられている。また、介護用ベッド１は、底部フレーム２の下部に、底部フレーム２の側部から突出するよう設けられた複数の取付部６を有している。取付部６は、上方に向かって開口した取付孔を有し、取付孔を利用して市販の介護ベッド用のサイドフレーム等を取付可能になっている。
【００１３】
図１に示すように、下部フレーム部１１は、細長い鉄製の角パイプから成り、介護用ベッド１の長さの半分程度の長さを有している。下部フレーム部１１は、両端部に、長さ方向に対して垂直に同じ方向に突出するよう設けられた突出部１１ａを有している。突出部１１ａは、介護用ベッド１の複数の取付部６の取付孔と同じ間隔で設けられ、取付孔に挿入可能になっている。
【００１４】
支持フレーム部１２は、支持部１２ａと補強フレーム部１２ｂとを有している。支持部１２ａおよびサイドフレーム部１３は、１本の長い円筒状の鉄製の丸パイプ材２１から成っている。丸パイプ材２１は、一方の端部２１ａが、中央部２１ｂに対して９０度をなすよう折り曲げられ、他方の端部２１ｃが、中央部２１ｂに対して一方の端部２１ａと同じ側に１８０度をなすよう折り曲げられている。丸パイプ材２１は、他方の端部２１ｃの先端が、一方の端部２１ａから所定の距離に位置するよう折り曲げられている。丸パイプ材２１は、一方の端部２１ａと中央部２１ｂとの境界、中央部２１ｂと他方の端部２１ｃとの境界が円弧状を成すよう折り曲げられている。
【００１５】
支持部１２ａは、丸パイプ材２１の一方の端部２１ａから成り、ベッドマット３の厚さより長く形成されている。支持部１２ａは、丸パイプ材２１の一方の端部２１ａの先端で、下部フレーム部１１の一端に固定されている。支持部１２ａは、突出部１１ａと反対側に伸びて、下部フレーム部１１の長さ方向に対して垂直を成すよう固定されている。
【００１６】
補強フレーム部１２ｂは、細長い鉄製の角パイプから成っている。補強フレーム部１２ｂは、両端がそれぞれ丸パイプ材２１の中央部２１ｂと下部フレーム部１１とに固定されている。補強フレーム部１２ｂは、下部フレーム部１１の中央より一端側に固定されている。補強フレーム部１２ｂは、支持部１２ａと平行をなし、中央に丸パイプ材２１の他方の端部２１ｃの先端が固定されている。
【００１７】
サイドフレーム部１３は、丸パイプ材２１の中央部２１ｂおよび他方の端部２１ｃから成り、下部フレーム部１１の長さとほぼ同じ長さを有している。サイドフレーム部１３は、下部フレーム部１１に対して平行に伸びている。
【００１８】
足先引掛部１４は、芯材１４ａとカバー部材１４ｂとを有している。芯材１４ａは、鉄製で、円柱状を成している。カバー部材１４ｂは、発泡ウレタン製で、円筒状を成している。カバー部材１４ｂは、芯材１４ａの側面を覆うよう、内部に芯材１４ａが挿入されて、芯材１４ａに固定されている。足先引掛部１４は、下部フレーム部１１の他端部に取り付けられている。足先引掛部１４は、下部フレーム部１１、突出部１１ａ、支持フレーム部１２、およびサイドフレーム部１３を含む面に対して垂直を成すよう取り付けられている。なお、足先引掛部１４は、その面に対して両側に取付可能になっている。足先引掛部１４は、下部フレーム部１１の反対側から取り付けられた六角穴付ボタンボルト２２により固定されている。
【００１９】
なお、図１に示す具体的な一例では、下部フレーム部１１および補強フレーム部１２ｂは、一辺３０ｍｍの角パイプ材から成っている。下部フレーム部１１は、長さが５８６ｍｍである。各突出部１１ａは、互いの間隔が４００ｍｍである。丸パイプ材２１は、直径が２５．４ｍｍである。支持部１２ａは、長さが４３０ｍｍである。サイドフレーム部１３は、長さが５５０ｍｍである。足先引掛部１４は、長さが１５０ｍｍである。
【００２０】
図２に示すように、側柵１０は、介護用ベッド１の取付部６の取付孔に、突出部１１ａを挿入して介護用ベッド１に取り付けられる。側柵１０は、支持フレーム部１２が介護用ベッド１の足元側になり、足先引掛部１４が介護用ベッド１の頭部側になる。足先引掛部１４は、サイドフレーム部１３の頭部側方向先端の下方付近で、下部フレーム部１１の先端に位置する。足先引掛部１４は、介護用ベッド１の側面に対して垂直方向外側に突出するよう取り付けられる。側柵１０は、突出部１１ａが取付孔から抜けないよう、取付部６の下部から取り付けられたボルト２３により突出部１１ａが固定される。
【００２１】
側柵１０は、介護用ベッド１に取り付けることにより、下部フレーム部１１が介護用ベッド１の長さ方向に沿って介護用ベッド１の中央部まで頭部側方向に伸び、支持フレーム部１２が介護用ベッド１の側面の足元側端部に、介護用ベッド１の上面より高い位置まで上方に伸び、サイドフレーム部１３が介護用ベッド１の上面との間に間隔をあけて、介護用ベッド１の長さ方向に沿って介護用ベッド１の中央部まで頭部側方向に伸びている。側柵１０は、サイドフレーム部１３と介護用ベッド１のベッドマット３との間に、被介護者の足を通過可能な間隔があくよう形成されている。
【００２２】
次に、作用について説明する。
図２に示すように、本発明の実施の形態の介護用ベッドの側柵１０は、介護用ベッド１に取り付けて使用される。側柵１０は、介護用ベッド１の上面より高い位置まで上方に伸びるよう設けられた支持フレーム部１２の上端部に、介護用ベッド１の足元側端部から頭部側方向に中央部まで伸びるようサイドフレーム部１３が設けられているため、被介護者が立ち上がるとき、サイドフレーム部１３に掴まることができる。また、被介護者は、サイドフレーム部１３とベッドマット３との間を通過させるようにして、足を降ろすことができる。
【００２３】
このとき、支持フレーム部１２が介護用ベッド１の足元側の端部に設けられているため、足が支持フレーム部１２に引っ掛かることもない。このように、支持フレーム部１２やサイドフレーム部１３に足が引っ掛からないため、ベッド１から容易に足を降ろすことができる。また、ベッド１から足を降ろした後、足先引掛部１４に足の甲を引っ掛けて、腹筋や手を使って上体を起こすことができる。こうして、足先引掛部１４により、上体を起こしやすくすることができる。このように、側柵１０を利用することにより、被介護者がベッド１から立ち上がりやすくなる。側柵１０は、電動ベッドの背上げを利用するほどではない被介護者が、自力で容易にベッドから起き上がれるようにすることができる。
【図面の簡単な説明】
【００２４】
【図１】本発明の実施の形態の介護用ベッドの側柵を示す（ａ）正面図、（ｂ）右側面図である。
【図２】図１に示す介護用ベッドの側柵の使用状態を示す正面図である。
【符号の説明】
【００２５】
１  介護用ベッド
２  底部フレーム
３  ベッドマット
４  ヘッドフレーム
５  支持脚
６  取付部
１０  側柵
１１  下部フレーム部
１２  支持フレーム部
１２ａ  支持部
１２ｂ  補強フレーム部
１３  サイドフレーム部
１４  足先引掛部
１４ａ  芯材
１４ｂ  カバー部材
２１  丸パイプ材
【図１】
2008289744.tif 000003
【図２】
2008289744.tif 000004